(57)【特許請求の範囲】
【請求項１】
無線通信端末の装置の共存干渉を回避する方法であって、
前記無線通信端末は、通信モジュールと、共存通信モジュールとを含み、
前記無線通信端末の装置の共存干渉を回避する方法は、
基地局に、前記共存通信モジュールが起動されたことを示す情報である第一情報を含む共存通信モジュール起動通知情報を送信する第一送信ステップと、
前記無線通信端末が前記通信モジュールと前記共存通信モジュールとの間で時分割多重化ＴＤＭ作動モデルを採用する第一干渉回避ステップと、
前記第一干渉回避ステップの実行後に前記基地局に前記通信モジュールと前記共存通信モジュールの作動時間のデューティ比の情報を含む補助情報を送信する第二送信ステップと、を含む無線通信端末の装置の共存干渉を回避する方法。
【請求項２】
前記第一干渉回避ステップは、前記無線通信端末が前記通信モジュールと前記共存通信モジュールとの間でデフォルトＴＤＭ作動モデルを採用する、請求項１に記載の方法。
【請求項３】
前記通知情報中には、前記無線通信端末が前記通信モジュールと前記共存通信モジュールとの間でデフォルトＴＤＭ作動モデルを採用するか、又は前記無線通信端末が設定したＴＤＭ作動モデルを採用することを示す情報である第二情報がさらに含まれており、及び／又は、前記ＴＤＭ作動モデルのＴＤＭ設定情報を指示する第三情報がさらに含まれている、請求項１又は２に記載の方法。
【請求項４】
前記ＴＤＭ設定情報は、前記無線通信端末と前記基地局とが周知する唯一のＴＭＤデフォルト設定、前記無線通信端末のＴＤＭ設定リスト中から選択したＴＭＤ設定、前記通信モジュールが用いる通信システムの周期的測定合間の設定、又は前記無線通信端末が目前のネットワーク状況により設定したＴＭＤ設定を含む、請求項３に記載の方法。
【請求項５】
前記無線通信端末の装置の共存干渉を回避する方法は、前記第一干渉回避ステップの前、且つ、前記第一送信ステップの後に実施されるステップ、即ち、
前記基地局からの前記ＴＤＭ作動モデルのＴＤＭ設定情報を含む第一モデル設定情報を受信するステップをさらに含む、請求項１ないし４のいずれか１項に記載の方法。
【請求項６】
前記無線通信端末の装置の共存干渉を回避する方法は、前記第二送信ステップの後に、
前記通信モジュールと前記共存通信モジュールとの間で採用する作動モデルを指示する第二モデル設定指示が含まれている第二モデル設定情報を前記基地局から受信するステップと、
前記無線通信端末が前記第二モデル設定情報を受信した後に、前記通信モジュールと前記共存通信モジュールとの間で前記第二モデル設定情報が指示した作動モデルを採用する第二干渉回避ステップと、をさらに含む、請求項１ないし請求項５のいずれか１項に記載の方法。
【請求項７】
前記通信モジュールは、ロングタームエボリューション／増強型ロングタームエボリューションＬＴＥ／ＬＴＥ−Ａシステムにより通信を行う、請求項１ないし６のいずれか１項に記載の方法。
【請求項８】
無線通信端末の装置の共存干渉を回避する方法であって、
前記無線通信端末は、通信モジュールと、共存通信モジュールとを含み、
前記無線通信端末の装置の共存干渉を回避する方法は、
基地局が前記無線通信端末からの補助情報を受信する前に、前記無線通信端末からの共存通信モジュール起動通知情報を受信するステップであって、前記通知情報は、第一情報又は第二情報を指示し、前記第一情報は、前記共存通信モジュールが起動されたことを示す情報であり、前記第二情報は、前記共存通信モジュールが起動され、且つ前記無線通信端末が前記通信モジュールと前記共存通信モジュールとの間でデフォルト時分割多重化ＴＤＭ作動モデルを採用するか、又は前記無線通信端末が設定したＴＤＭ作動モデルを採用することを示す情報であるステップと、
前記基地局が、前記通知情報が前記第一情報を指示するときに、前記無線通信端末にＴＤＭ設定情報を含む第一モデル設定情報を送信するステップと、含む無線通信端末の装置の共存干渉を回避する方法。
【請求項９】
前記ＴＤＭ設定情報は、前記無線通信端末と前記基地局とが周知する唯一のＴＭＤデフォルト設定、前記無線通信端末のＴＤＭ設定リスト中から選択したＴＭＤ設定、前記通信モジュールが用いる通信システムの周期的測定合間の設定、又は前記基地局が目前のネットワーク状況により設定したＴＭＤ設定を含む、請求項８に記載の方法。
【請求項１０】
前記第二情報が、前記共存通信モジュールが起動され、且つ前記無線通信端末が前記通信モジュールと前記共存通信モジュールとの間で前記無線通信端末が設定したＴＤＭ作動モデルを採用することを示す情報である場合、前記通知情報は、ＴＤＭ設定情報を含み、前記ＴＤＭ設定情報は、前記無線通信端末と前記基地局とが周知する唯一のＴＭＤデフォルト設定、前記無線通信端末のＴＤＭ設定リスト中から選択したＴＭＤ設定、前記通信モジュールが用いる通信システムの周期的測定合間の設定、又は前記端末が目前のネットワーク状況により設定したＴＭＤ設定を含む、請求項８に記載の方法。
【請求項１１】
前記基地局により、
前記無線通信端末からの補助情報を受信し、
受信した前記補助情報により、前記無線通信端末が前記通信モジュールと前記共存通信モジュールとの間で採用する作動モデルを確定し、及び
確定された前記作動モデルを指示する第二モデル設定指示が含まれている第二モデル設定情報を前記無線通信端末に送信するステップと、をさらに含む請求項８ないし１０のいずれか１項に記載の方法。
【請求項１２】
前記通信モジュールは、ロングタームエボリューション／増強型ロングタームエボリューションＬＴＥ／ＬＴＥ−Ａシステムにより通信を行う、請求項８ないし１１のいずれか１項に記載の方法。
【請求項１３】
通信モジュールと、共存通信モジュールとを含む無線通信端末であって、
前記通信モジュールは、基地局に、前記共存通信モジュールが起動されたことを示す情報である第一情報を含む共存通信モジュール起動通知情報を送信し、
前記無線通信端末は、前記通信モジュールと前記共存モジュールとの間で時分割多重化ＴＤＭ作動モデルを採用する協調ユニットをさらに含み、
前記協調ユニットの実行後に、前記通信モジュールは、前記基地局に前記通信モジュールと前記共存通信モジュールの作動時間のデューティ比の情報を含む補助情報を送信する、無線通信端末。
【請求項１４】
前記通知情報中には、前記無線通信端末が前記通信モジュールと前記共存通信モジュールとの間でデフォルトＴＤＭ作動モデルを採用するか、又は前記無線通信端末が設定したＴＤＭ作動モデルを採用することを示す情報である第二情報がさらに含まれており、及び／又は、前記ＴＤＭ作動モデルのＴＤＭ設定情報を指示する第三情報がさらに含まれている、請求項１３に記載の無線通信端末。
【請求項１５】
受信ユニットと、送信ユニットとを含む基地局であって、
前記受信ユニットは、無線通信端末からの補助情報を受信する前に、前記無線通信端末からの共存通信モジュール起動通知情報を受信し、前記通知情報は、第一情報又は第二情報を指示し、前記第一情報は、前記共存通信モジュールが起動されたことを示す情報であり、前記第二情報は、前記共存通信モジュールが起動され、且つ前記無線通信端末が前記通信モジュールと前記共存通信モジュールとの間でデフォルト時分割多重化ＴＤＭ作動モデルを採用するか、又は前記無線通信端末が設定したＴＤＭ作動モデルを採用することを示す情報であり、
前記送信ユニットは、前記通知情報が前記第一情報を指示するときに、前記無線通信端末にＴＤＭ設定情報を含む第一モデル設定情報を送信する、基地局。
【請求項１６】
前記第二情報が、前記共存通信モジュールが起動され、且つ前記無線通信端末が前記通信モジュールと共存通信モジュールとの間で前記無線通信端末が設定したＴＤＭ作動モデルを採用することを示す情報である場合、前記通知情報は、ＴＤＭ設定情報を含み、前記ＴＤＭ設定情報は、前記無線通信端末と前記基地局とが周知する唯一のＴＭＤデフォルト設定、前記無線通信端末のＴＤＭ設定リスト中から選択したＴＭＤ設定、前記通信モジュールが用いる通信システムの周期的測定合間の設定、又は前記端末が目前のネットワーク状況により設定したＴＭＤ設定を含む、請求項１５に記載の基地局。
【請求項１７】
前記無線通信端末からの前記補助情報を受信し、
受信した前記補助情報により、前記無線通信端末が前記通信モジュールと前記共存通信モジュールとの間で採用する作動モデルを確定し、及び
確定された前記作動モデルを指示する第二モデル設定指示が含まれている第二モデル設定情報を前記無線通信端末に送信するようにさらに構成される、請求項１５又は１６に記載の基地局。
【発明の詳細な説明】
【技術分野】
【０００１】
本発明は、無線通信技術に関し、特に無線通信端末の設備の共存干渉を回避する方法、端末及び基地局に関する。
【背景技術】
【０００２】
近年、各種の無線技術を応用することが迅速に増加することに伴い、無線通信システムが迅速に発展している。従って、各種の無線通信技術（第３世代又は第４世代セルラーネットワーク、無線ローカルエリアネットワーク、ブルートゥース）の性能が大幅に向上されると共に、ユーザー側の端末とネットワークとを接続させる方式も多様化している。特に、多機能情報端末において、ユーザー側の多機能情報端末に各種の無線システム用通信モジュールが設けられている（本文において、前述した通り、各種の通信モジュールが共存することを「設備の共存」と言う）ので、同時に各種のネットワークに接続することができる。例えば、ロングタームエボリューション（Long  Term  Evolution、「ＬＴＥ」と略称）システム、増強型ロングタームエボリューション（Advamced  Long  Term  Evolution、「ＬＴＥ−Ａ」と略称）システム、無線ローカルエリアネットワーク（Wireless  Local  Area  Network）、ブルートゥース（Bluetooth(登録商標)）、全地球的衛星航法システム（Global  Navigation  Satellite  System、「ＧＮＳＳ」と略称）などに接続することができる。本文において、説明を簡潔にするため、端末中に共存するＬＴＥ／ＬＴＥ−Ａ通信と他の通信モジュール（例えば、ＷＬＡＮ、ブルートゥース、ＧＮＳＳ通信モジュールなどである）とを共存通信モジュールと総称する。
【０００３】
設備が共存する場合、各通信モジュールのトランシーバーの物理的間隔が小さく、且つ各自の動作周波数が非常に接近するので、各通信システム間の通信を干渉することを避けることができる。例えば、ＬＴＥ／ＬＴＥ−Ａシステムが作動する時の周波数帯は、周波数帯４０（２３００ＭＨｚ〜２４００ＭＨｚ）、周波数帯１３（７７７ＭＨｚ〜７８７ＭＨｚ）、周波数帯１４（７８８ＭＨｚ〜７９８ＭＨｚ）、周波数帯７（２５００ＭＨｚ〜２５７０ＭＨｚ）などを含むことができる。ＷＬＡＮとブルートゥースが工業、化学及び医学領域で作動する時の周波数帯は、（２４００ＭＨｚ〜２４８３．５ＭＨｚ）である。ＧＮＳＳが作動する時の周波数帯Ｌ１／Ｅ１は、（１５７５．４２ＭＨｚ）である。従って、ＬＴＥ／ＬＴＥ−Ａシステムの周波数帯４０の送信は、ＩＳＭ周波数帯の受信を干渉し、ＩＳＭ周波数帯の送信は、ＬＴＥ／ＬＴＥ−Ａシステムの周波数帯４０の受信を干渉し、ＬＴＥ／ＬＴＥ−Ａシステムの周波数帯７の送信は、ＩＳＭ周波数帯の受信を干渉し、ＬＴＥシステムの周波数帯１３／１４の送信は、ＧＮＳＳ周波数帯Ｌ１／Ｅ１の受信を干渉する。共存する設備間の通信干渉による影響を減少しなければならないので、共存する設備間の干渉を回避する研究が注目されている。現在、３ＧＰＰでは、一組の研究組を組んで、前述した問題を研究している。現在、共存する設備間の干渉を回避する方法は、主に以下のような二種類がある。（１）周波数分割多重（Frequency  Division  Multiplexing、ＦＤＭ）方法である。この方法は、共存干渉を発見した場合、端末のＬＴＥ／ＬＴＥ−Ａ通信モジュール（又は、共存通信モジュール）の動作周波数を干渉のないか或いは少ない周波数に変更する。（２）時分割多重（Time  Division  Multiplexing、ＴＭＤ）方法である。この方法は、端末のＬＴＥ／ＬＴＥ−Ａ通信モジュールと、他の共存通信モジュールとを時分割方式に作動させて、各モジュールが同時に信号を送信／受信しないようする。前述した２つの方案は、共存する設備間の干渉を有効に回避することができる。前述した共通点は、端末が基地局（ｅＮｏｄｅＢ、「ｅＮＢ」と略称）端末に一定の補助情報を提供して、基地局が適合する方式（ＦＤＭ方案を採用する場合、基地局が端末のＬＴＥ／ＬＴＥ−Ａが使う所定の周波数を決定し、ＴＤＭ方案を採用する場合、基地局が端末のＬＴＥ／ＬＴＥ−Ａと他の共存モジュールとの間で使う作動のデューティ比を決定する）を採用して干渉を回避することにある。前記補助情報を得る前に、端末が測定を行うことに一定の時間が掛かるので、測定を行うこの時間内に、ＬＴＥ／ＬＴＥ−Ａと他の共存モジュールとの間の干渉を回避することができない。現在のＦＤＭ方案とＴＤＭ方案は、いずれも前記時間内に発生する設備間の干渉を考慮しなかった。従って、基地局が補助情報を提供する前に設備間の干渉を回避する問題は、解決しなければならない問題になっている。
【発明の概要】
【発明が解決しようとする課題】
【０００４】
本発明の目的は、従来技術の１つ又は複数の欠点を解決すると共に、少なくとも１つの発明の効果を奏することができる、無線通信端末の設備の共存干渉を回避する方法、端末及び基地局を提供することにある。
【課題を解決するための手段】
【０００５】
前述した問題を解決するため、本発明においては、以下のような無線通信端末の設備の共存干渉を回避する方法を提供する。前記無線通信端末は、通信モジュールと、共存通信モジュールとを含む。前記方法は、基地局に共存通信モジュール起動通知情報を送信する第一送信ステップと、前記基地局に補助情報を送信する前、前記無線通信端末が前記通信モジュールと共存通信モジュールとの間で時分割多重化ＴＤＭ作動モデルを採用する第一干渉回避ステップと、を含む。
【０００６】
前述した問題を解決するため、本発明においては、以下のような無線通信端末の設備の共存干渉を回避する方法も提供する。前記無線通信端末は、通信モジュールと、共存通信モジュールとを含む。前記方法は、ネットワークをシフトしたソース基地局がターゲット基地局に前記共存通信モジュールが起動されたことを指示する通知情報を送信した後、時分割多重化ＴＤＭ作動モデルのＴＤＭ設定情報が含まれている第一モデル設定情報を前記ターゲット基地局から受信するステップと、前記ターゲット基地局に補助情報を送信する前、前記無線通信端末が前記通信モジュールと共存通信モジュールとの間で前記ＴＤＭ作動モデルを採用するステップと、を含む。
【０００７】
前述した問題を解決するため、本発明においては、以下のような無線通信端末の設備の共存干渉を回避する方法も提供する。前記無線通信端末は、通信モジュールと、共存通信モジュールとを含む。前記方法は、ネットワークをシフトする時、前記無線通信端末のソース基地局がターゲット基地局に前記共存通信モジュールが起動されたことを指示する通知情報を送信する場合、前記ターゲット基地局に補助情報を送信する前、前記無線通信端末が前記通信モジュールと共存通信モジュールとの間でデフォルトＴＤＭ作動モデルを採用するステップを含む。
【０００８】
前述した問題を解決するため、本発明においては、以下のような無線通信端末の設備の共存干渉を回避する方法も提供する。前記無線通信端末は、通信モジュールと、共存通信モジュールとを含む。前記方法は、前記無線通信端末からの補助情報を受信する前に、前記無線通信端末からの共存通信モジュール起動通知情報を受信し、前記通知情報は、第一情報又は第二情報を指示し、前記第一情報は、共存通信モジュールが起動されたことを示す情報であり、前記第二情報は、前記共存通信モジュールが起動され、且つ前記無線通信端末が前記通信モジュールと共存通信モジュールとの間でデフォルト時分割多重化ＴＤＭ作動モデルを採用するか、或いは前記無線通信端末が設定したＴＤＭ作動モデルを採用することを示す情報であるステップと、前記通知情報が前記第一情報を指示する時、前記無線通信端末にＴＤＭ設定情報を含む第一モデル設定情報を送信するステップと、含む。
【０００９】
前述した問題を解決するため、本発明においては、以下のような無線通信端末の設備の共存干渉を回避する方法も提供する。前記無線通信端末は、通信モジュールと、共存通信モジュールとを含む。前記方法は、ターゲット基地局が前記無線通信端末からの補助情報を受信する前に、ソース基地局からの共存通信モジュール起動通知情報を受信するステップと、前記無線通信端末にＴＤＭ設定情報を含む第一モデル設定情報を送信するステップと、含む。
【００１０】
前述した問題を解決するため、本発明においては、以下のような無線通信端末も提供する。前記無線通信端末は、通信モジュールと、共存通信モジュールとを含む。前記通信モジュールは、送信ユニットと、受信ユニットとを具備する。前記送信ユニットは、前記基地局に補助情報を送信する前に、前記基地局に共存通信モジュール起動通知情報を送信するように設置されている。前記無線通信端末は、前記送信ユニットが前記基地局に補助情報を送信する前、前記通信モジュールと共存モジュールとの間で時分割多重化ＴＤＭ作動モデルを採用する協調ユニットをさらに含む。
【００１１】
前述した問題を解決するため、本発明においては、以下のような無線通信端末も提供する。前記無線通信端末は、通信モジュールと、共存通信モジュールとを含む。前記通信モジュールは、送信ユニットと、受信ユニットとを具備する。前記受信ユニットは、前記無線通信端末がネットワークをシフトし、且つ前記送信ユニットがターゲット基地局に補助情報を送信する前に、前記ターゲット基地局から時分割多重化ＴＤＭ作動モデルのＴＤＭ設定情報を含む第一モデル設定情報を受信する。前記無線通信端末は、前記ターゲット基地局に補助情報を送信する前、前記通信モジュールと共存モジュールとの間で前記ＴＤＭ作動モデルを採用するように設置される協調ユニットをさらに含む、
前述した問題を解決するため、本発明においては、以下のような無線通信端末も提供する。前記無線通信端末は、通信モジュールと、共存通信モジュールとを含む。前記通信モジュールは、送信ユニットと、受信ユニットとを具備する。前記無線通信端末は、協調ユニットをさらに含む。前記協調ユニットは、前記無線通信端末がネットワークをシフトし、且つ前記送信ユニットが前記基地局に補助情報を送信する前、前記通信モジュールと共存モジュールとの間でデフォルトＴＤＭ作動モデルを採用するように設置されている。
【００１２】
前述した問題を解決するため、本発明においては、以下のような基地局も提供する。前記基地局は、受信ユニットと送信ユニットとを含む。前記受信ユニットは、前記無線通信端末からの補助情報を受信する前に、前記無線通信端末からの共存通信モジュール起動通知情報を受信するように設置されている。前記通知情報は、第一情報又は第二情報を指示し、前記第一情報は、共存通信モジュールが起動されたことを示す情報である。前記第二情報は、前記共存通信モジュールが起動され、且つ前記無線通信端末が前記通信モジュールと共存通信モジュールとの間でデフォルト時分割多重化ＴＤＭ作動モデルを採用するか、或いは前記無線通信端末が設定したＴＤＭ作動モデルを採用することを示す情報である。前記送信ユニットは、前記通知情報が前記第一情報を指示する時、前記無線通信端末にＴＤＭ設定情報を含む第一モデル設定情報を送信するように設置されている。
【００１３】
前述した問題を解決するため、本発明においては、以下のような基地局も提供する。前記基地局は、無線通信端末からの補助情報を受信する前に、前記無線通信端末のソース基地局からの共存通信モジュール起動通知情報を受信するように設置される受信ユニットと、前記無線通信端末に送信したＴＤＭ設定情報を含む第一モデル設定情報と、を含む。
【００１４】
前述した本発明の各技術的事項により、無線通信端末が基地局に補助情報を提供する前、無線通信端末中の設備の共存干渉を回避することができる。
【００１５】
前述した目的と類似する目的を解決するため、本発明は後述する特徴と請求の範囲に記載されている特徴とを含む。後述する部分と図面には、本発明の特定な例示とする実施例が詳細に記載されている。後述する実施例は、本発明の原理を示す各実施例の一部に過ぎない。本発明の図面を参照しながら詳細に説明する以下の内容により、本発明の他の目的、利点、新規性などを容易に理解することができる。
【図面の簡単な説明】
【００１６】
図面において、同様又は類似する図面符号を用いて、図面中の同様又は類似する技術部分を示すと共に、他の１つ以上の実施例中の同様又は類似する部分を示すことができる。図面は、本発明の一部の実施例に過ぎない。本技術分野の技術者は、創造的労働をせず、前記図面に基づいて他の図面を想到して得ることができる。
【図１】本発明の第一実施例に係る無線通信端末の設備の共存干渉を回避する方法を示す流れ図である。
【図２】本発明の第二実施例に係る無線通信端末の設備の共存干渉を回避する方法を示す流れ図である。
【図３】本発明の第三実施例に係る無線通信端末の設備の共存干渉を回避する方法を示す流れ図である。
【図４】本発明の第四実施例に係る無線通信端末の設備の共存干渉を回避する方法を示す流れ図である。
【図５】本発明の例示性実施例中の無線通信端末を示すブロック線図である。
【図６】本発明の例示性実施例中の基地局を示すブロック線図である。
【発明を実施するための形態】
【００１７】
以下、本発明の実施例中の図面を参照しながら、本発明の実施例中の技術的方案を詳細、全面的に説明する。以下、説明する実施例は、本発明の一部分の実施例であり、すべての実施例ではない。本技術分野の一般の技術者が、本発明の実施例に基づいて創造的な労働をしなくても容易に想到して得ることができるすべての他の実施例は、本発明が定めた保護範囲に属する。
【００１８】
ここで説明したいことは、必要のない技術事項が本発明の内容を不明瞭化することを避けるため、本発明の図面においては、本発明の技術的方案との関連性の深い設備構造と／処理ステップのみを示し、本発明の技術的方案との関連性の低い技術事項は省略したことである。
【００１９】
本発明の実施例において、設備の共存干渉を避けることができる混合方式を提出する。前記混合方式において、無線通信端末は、ＬＴＥ／ＬＴＥ−Ａ通信モジュールと、共存通信モジュール（例えば、ＷＬＡＮ通信モジュール、ＩＳＭ通信モジュール（ブルートゥースと／又はＷｉＦｉ通信モジュール）、ＧＮＳＳモジュールなど）とを含む。前記混合方式は、端末が基地局に補助情報を提供する前、ＬＴＥ／ＬＴＥ−Ａ通信モジュールと共存通信モジュールとの間でＴＤＭ作動モデルを用いることができるようにする。即ち、ＴＤＭモデルによりＬＴＥ／ＬＴＥ−Ａ通信モジュールと共存通信モジュールとの間の通信を協調することにより、設備の共存干渉を避ける。
【００２０】
実施例１
図１は、本発明の実施例に係る設備の共存干渉を避ける方法を示す流れ図である。本実施例において、ｅＮＢが端末の共存通信モジュールを起動したことを検知し、端末が送信した補助情報を受信していない場合、ｅＮＢは、初期ＴＤＭモデルを採用して端末のＬＴＥ／ＬＴＥ−Ａ通信モジュールと共存通信モジュールとの間の通信方式を設定する。端末が一定な時間の測定を行った後、補助情報をｅＮＢに告知する場合、ｅＮＢは、前記補助情報に基づいて端末のＬＴＥ／ＬＴＥ−Ａ通信モジュールと共存通信モジュールとの間の作動モデルを設定すると共に、端末に告知する。具体的には、前述した方法は、以下のようなステップを含む。
【００２１】
ステップＳ１１０：端末が共存通信モジュール起動通知情報をｅＮＢに送信して、共存通信モジュールの起動をｅＮＢに告知する。
【００２２】
好ましくは、前記ステップが以下のいずれの状況が発生する時にトリガーされる。（ａ）端末の共存通信モジュールが起動された時点である。例えば、共存通信モジュールに電気が入力された時点である。（ｂ）端末の共存通信モジュールが起動され、且つ端末のバッファメモリ中に共存通信モジュールの送信するデータが保存されている。（ｃ）共存通信モジュールを有する端末が新区域にシフトされ、且つ共存通信モジュールが起動されている。前述したいずれの状況においても、端末がｅＮＢに共存通信モジュールを起動する情報を送信する（通知指令）。
【００２３】
ステップＳ１２０：ｅＮＢが端末に初期ＴＤＭ設定を送信する。
【００２４】
この場合、端末が送信したＦＤＭ又はＴＤＭモデルを設定するための補助情報をｅＮＢが受信していないので、ｅＮＢが端末に初期ＴＤＭ設定を送信する。例えば、ｅＮＢが端末に初期ＴＤＭ設定情報を携帯する第一モデル設定情報（指令）を送信することができる。端末が前記初期ＴＤＭ設定情報を受信する場合、初期ＴＤＭ設定情報によりＬＴＥ／ＬＴＥ−Ａ通信モジュールと共存通信モジュールの作動を設定して、端末がＬＴＥ／ＬＴＥ−Ａ通信モジュールと共存通信モジュールとの間で時分割多重化ＴＤＭ作動モデルを採用して作動するようにする。
【００２５】
１つの例示的な実施例において、前記初期ＴＤＭ設定情報は、以下のようないくつの表現方式を有することができる。
【００２６】
（ａ）フルメッシュ（ｅＮＢと端末を含む）が周知する唯一のＴＭＤデフォルト設定情報である。例えば、ＬＴＥ／ＬＴＥ−Ａ通信モジュールと共存通信モジュールが別々に作動する固定時間（例えば、１０ｍｓ）である。
【００２７】
（ｂ）ｅＮＢ中に予め記憶されているＴＤＭ設定リスト中から選択したＴＭＤ設定情報である。
【００２８】
ネットワークは、複数のＴＤＭ設定情報を含む１つのリストを提供することができる。ｅＮＢは、前記リストから目前のシステム状況に適合するＴＤＭ設定を選択すると共に、端末に告知することができる。
【００２９】
（ｃ）現在のＬＴＥ／ＬＴＥ−Ａシステムの周期的測定合間の設定である。
【００３０】
例えば、測定合間中では共存通信モジュールのみが作動し、測定合間以外の時間ではＬＴＥ／ＬＴＥ−Ａ通信モジュールのみが作動する。ＬＴＥ／ＬＴＥ−Ａシステムは、複数の周期的測定合間の設定を有し、ｅＮＢは、前記複数の設定から１つの周期的測定合間の設定を選択することができる。
【００３１】
（ｄ）ｅＮＢが目前のシステム状況（例えば、ネットワーク状況）により新設定したＴＭＤ設定である。
【００３２】
端末は、ＬＴＥ／ＬＴＥ−Ａ通信モジュールと共存通信モジュールとの間で時分割多重化ＴＤＭ作動モデルを採用する過程において、対応する測定を行う。例えば、目前に使用可能な周波数資源、使用不可能な周波数資源（ＦＤＭに基づく補助情報）、又はＬＴＥ／ＬＴＥ−Ａ通信モジュールと共存通信モジュールの作動時間のデューティ比（ＴＤＭに基づく補助情報）等を測定する。
【００３３】
前述したステップＳ１１０〜Ｓ１２０に基づいて、端末がｅＮＢに補助情報を提供する前、ＬＴＥ／ＬＴＥ−Ａ通信モジュールと共存通信モジュールとの間で初期ＴＤＭ作動モデルを採用して、設備の共存干渉を避けることができる。
【００３４】
また、端末が初期ＴＤＭ設定を正確に受信することを確保するため、本発明の方法は、以下のようなステップ（図示せず）をさらに含むことができる。即ち、端末が初期ＴＤＭ設定指令を受信した後、ｅＮＢに設定確認情報を送信して、端末が前記ＴＤＭ設定を受信したことをｅＮＢが検知するようにすることである。
【００３５】
また、前記方法は、端末が測定により補助情報を得た後に行われる以下のようなステップをさらに含むことができる。
【００３６】
ステップＳ１３０：ｅＮＢに補助情報を送信する。即ち、前記補助情報をｅＮＢに報せる。一定な時間の測定を行った後、端末がＬＴＥ／ＬＴＥ−Ａ通信モジュールと共存通信モジュールの作動状況を大体了解すると共に、補助情報を得ることができる。前記補助情報は、ＦＤＭに基づく補助情報と／又はＴＤＭに基づく補助情報であることができる。例えば、ＦＤＭに基づく補助情報は、使用可能な周波数資源、又は使用不可能な周波数資源を含むことができる。例えば、ＴＤＭに基づく補助情報は、ＬＴＥ／ＬＴＥ−Ａ通信モジュールと共存通信モジュールの作動時間のデューティ比等を含むことができる。
【００３７】
端末がどのモデル（ＦＤＭ又はＴＤＭ）を採用して作動することを決定することができるか、或いはどのモデル（ＦＤＭ又はＴＤＭ）を採用して作動することを希望する場合、端末が決定したモデル又は希望するモデルに対応する補助情報のみをｅＮＢにフィードバックすることができる。即ち、ＦＤＭに基づく補助情報又はＴＤＭに基づく補助情報をフィードバックする。端末がどのモデルを採用することを決定することができない場合、端末が二種のモデルに基づく補助情報をフィードバックする。即ち、ｅＮＢにＦＤＭに基づく補助情報と、ＴＤＭに基づく補助情報とをフィードバックする。
【００３８】
ステップＳ１４０：ｅＮＢが最終のモデル設定を端末に通知する。
【００３９】
例えば、ｅＮＢが第二モデル設定情報を端末に送信する。前記第二モデル設定情報中には、ＬＴＥ／ＬＴＥ−Ａ通信モジュールと共存通信モジュールとの間で採用する作動モデルを指示する第二モデル設定指示が含まれている。
【００４０】
具体的には、ｅＮＢがステップＳ１３０で受信した補助情報に基づいて、適合する作動モデル（ＦＤＭ又はＴＤＭ）と対応する適当な設定とを選択すると共に、端末に通知する。例えば、ＦＤＭに基づく補助情報を受信する場合、ｅＮＢがＦＤＭ作動モデルを選択すると共に、目前のシステム状況に基づいて、適合するＦＤＭ設定を選択・設定して端末に提供することができる。目前のシステム状況でＦＤＭ作動モデルを採用することが不適当であるとｅＮＢが認定する場合、ｅＮＢがシステム状況に基づいてＴＤＭ作動モデルを選択すると共に、適合するＴＤＭ設定を選択・設定して端末に提供する。この場合のＴＤＭ設定は、ステップＳ１２０中の初期ＴＤＭ設定と同様であるか或いは不同である。ＴＤＭに基づく補助情報を受信する場合、ｅＮＢがＴＤＭ作動モデルを選択すると共に、目前のシステム状況に基づいて、適合するＴＤＭ設定を選択・設定して端末に提供することができる。ＦＤＭに基づく補助情報とＴＤＭに基づく補助情報とを含む両者を受信する場合、ｅＮＢが目前のシステム状況に基づいて一種の作動モデル（例えば、ＦＤＭ作動モデル）を選択すると共に、適合するある設定（ＦＤＭ設定）を選択・設定して端末に提供することができる。
【００４１】
また、本発明の方法は、以下のようなステップ（図示せず）をさらに含むことができる。即ち、端末がｅＮＢの送信したモデル設定情報を受信した後、ｅＮＢに１つの受信確認情報を送信することである。
【００４２】
ｅＮＢが送信した最終のモデル設定情報を受信した後、端末が最終のＦＤＭ作動モデル又はＴＤＭ作動モデルを指定する。且つ、ＦＤＭ設定情報又はＴＤＭ設定情報に基づいて、ＦＤＭ作動モデル又はＴＤＭ作動モデルを採用して、ＬＴＥ／ＬＴＥ−Ａ通信モジュールと共存通信モジュールとの間の通信を協調するか、或いはＬＴＥ／ＬＴＥ−Ａ通信モジュールと共存通信モジュールとの間でＦＤＭ作動モデル又はＴＤＭ作動モデルを採用する。
【００４３】
前述した通り、本発明の実施例において、ｅＮＢに補助情報を提供する前、端末が初期ＴＤＭ設定によりＬＴＥ／ＬＴＥ−Ａ通信モジュールと共存通信モジュールとの間の作動を設定することができるので、端末中の設備の共存干渉を有効に避けることができる。
【００４４】
実施例２
前述した実施例１において、ｅＮＢが初期ＴＤＭ設定情報を端末に提供する。実施例２において、システムの構造を簡単にするため、前記ステップＳ２１０を省略することができる。この場場合、ｅＮＢに補助情報を提供する前、端末が初期ＴＤＭ設定を採用することを自分で決定して、端末に通知する。
【００４５】
図２に示す通り、本実施例２の設備の共存干渉を避ける方法の流れは、以下のステップを含む。
【００４６】
ステップＳ２１０：端末が共存通信モジュール起動情報をｅＮＢに送信して、共存通信モジュールの起動をｅＮＢに報せる。
【００４７】
好ましくは、前記ステップが以下のいずれの状況が発生する時にトリガーされる。（ａ）端末の共存通信モジュールが起動された時点である。例えば、共存通信モジュールに電気が入力された時点である。（ｂ）端末の共存通信モジュールが起動され、且つ端末のバッファメモリ中に共存通信モジュールの送信するデータが保存されている。（ｃ）共存通信モジュールを有する端末が新区域にシフトされ、且つ共存通信モジュールが起動されている。
【００４８】
具体的には、端末が、共存通信モジュールが起動されること（共存通信モジュールに電気が入力された時点であるか、或いは共存通信モジュールがデータを送信する。）、或いは端末がシフトされた時点であり、且つ共存通信モジュールが起動されたことを発見する場合、端末がｅＮＢに通知指令（通知情報）を送信する。このような場合、端末がｅＮＢに送信した通知情報中にＴＤＭ設定情報が含まれなくてもよい。前記設定情報は、共存通信モジュールの起動を指示すると共に、端末がデフォルトＴＤＭ設定を採用してＬＴＥ／ＬＴＥ−Ａ通信モジュールと共存通信モジュールの作動を協調するように指示することができる。端末とｅＮＢは、ＬＴＥ／ＬＴＥ−Ａ通信モジュールと共存通信モジュールとの間で、デフォルトＴＤＭ設定に対応するデフォルトＴＤＭ作動モデルを採用することができる。一例示として、前記デフォルトＴＤＭ設定は、フルメッシュで唯一であり、且つ端末が周知するＴＤＭデフォルト設定であることができる。例えば、ＬＴＥ／ＬＴＥ−Ａ通信モジュールと共存通信モジュールが別々に作動する固定時間（例えば、１０ｍｓ）である。
【００４９】
本発明の他の実施例において、共存通信モジュールが起動される通知情報は、初期ＴＤＭ設定情報を含むことができる。前記初期ＴＤＭ設定情報は、以下のようないくつの表現方式を有することができる。（ａ）無線通信端末とｅＮＢが周知する唯一のＴＭＤデフォルト設定である。例えば、前記唯一のＴＭＤデフォルト設定は、フルメッシュ（ｅＮＢと端末を含む）が周知する唯一のＴＭＤデフォルト設定情報である。例えば、ＬＴＥ／ＬＴＥ−Ａ通信モジュールと共存通信モジュールが別々に作動する固定時間（例えば、１０ｍｓ）である。（ｂ）前記無線通信端末のＴＤＭ設定リスト中から選択したＴＭＤ設定である。（ｃ）現在のＬＴＥ／ＬＴＥ−Ａシステムの周期的測定合間の設定である。又は、（ｄ）端末が目前のシステム状況（例えば、ネットワーク状況）により新設定したＴＭＤ設定である。
【００５０】
例えば、無線通信システムが複数のフルメッシュの周知するＴＤＭ設定情報を有している場合、端末が自分の作動状況により複数のＴＤＭ設定情報から１つを選択すると共に、選択したＴＤＭ設定情報を通知指令に添付してｅＮＢに送信する。ｅＮＢと端末は、前記ＴＤＭ設定によりＬＴＥ／ＬＴＥ−Ａ通信モジュールと共存通信モジュールとの間の作動を設定する。
【００５１】
本実施例２において、端末が採用する初期ＴＤＭ設定は、フルメッシュが周知するデフォルトＴＤＭ設定、又は端末が選択したＴＤＭ設定である。この場合、端末が全ネットワークの状況により適合するＴＤＭ設定を選択することができないので、システムの性能に一定な影響を与えることができるが、前記方法は指令の設計を簡略化することができる。
【００５２】
また、ｅＮＢが端末の送信した通知情報を受信した後、通知に対応する情報を端末にフィードバックすることもできる（図示せず）。
【００５３】
端末は、ＬＴＥ／ＬＴＥ−Ａ通信モジュールと共存通信モジュールとの間で、時分割多重化ＴＤＭ作動モデルを採用して作動する過程において、対応する測定を行う。例えば、目前に使用可能な周波数資源、使用不可能な周波数資源、又はＬＴＥ／ＬＴＥ−Ａ通信モジュールと共存通信モジュールの作動時間のデューティ比等を測定する。
【００５４】
端末が補助情報を受信した後、続くステップ（例えば、ステップＳ２３０とＳ２４０）は、実施例１中の対応するステップ（例えば、ステップＳ１３０とＳ１４０）と同様であることができる。
【００５５】
また、本発明の以下のステップ（図示せず）をさらに含むことができる。即ち、端末がｅＮＢの送信したモデル設定情報を受信した後、ｅＮＢに１つの受信確認情報を送信することである。
【００５６】
実施例３
前述した２つの実施例において、端末がネットワークをシフトした時点であり、且つ共存通信モジュールが起動された場合、端末が共存通信モジュールの起動通知情報をｅＮＢに送信する。前記実施例において、端末がｅＮＢに送信した通知情報中にＴＤＭ設定情報が含まれなくてもよい。ネットワークをシフトしている過程とネットワークをシフトした後、端末のソースｅＮＢから端末のターゲットｅＮＢに共存通信モジュールの起動通知情報を送信する。
【００５７】
図３に示す通り、本実施例の設備の共存干渉を避ける方法の流れは、以下のステップを含む。
【００５８】
ステップＳ３１０：ネットワークをシフトしている過程、又はネットワークをシフトした後、端末の共存通信モジュールが起動された場合、ソースｅＮＢからターゲットｅＮＢに共存通信モジュールの起動通知情報を送信する。
【００５９】
また、ターゲットｅＮＢがソースｅＮＢの通知情報を受信した後、通知に対応する情報をソースｅＮＢにフィードバックすることができる。
【００６０】
本実施例において、前記共存通信モジュールの起動通知情報が初期ＴＤＭ設定情報を含んでいないことが好ましい。しかし、本発明がこのような事項に限定されるものではない。即ち、前記共存通信モジュールの起動通知情報が初期ＴＤＭ設定情報を含むこともできる。前記共存通信モジュールの起動通知情報が初期ＴＤＭ設定情報を含んでいる内容については、後述する実施例４において説明する。
【００６１】
初期ＴＤＭ設定情報を含んでいない場合、前記共存通信モジュールの起動通知情報は、共存通信モジュールの起動のみを指示するか、或いは共存通信モジュールの起動を指示すると共に、端末がデフォルトＴＤＭ設定を採用してＬＴＥ／ＬＴＥ−Ａ通信モジュールと共存通信モジュールの作動を協調するように指示することができる。
【００６２】
共存通信モジュールの起動通知情報が共存通信モジュールの起動のみを指示する場合、本実施例の方法は、以下のステップをさらに含む。
【００６３】
ステップＳ３２０：ターゲットｅＮＢが端末に初期ＴＤＭ設定を送信する。
【００６４】
前記初期ＴＤＭ設定情報は、以下のような設定情報であることができる。（ａ）フルメッシュ（ｅＮＢと端末を含む）が周知する唯一のＴＭＤデフォルト設定情報である。例えば、ＬＴＥ／ＬＴＥ−Ａ通信モジュールと共存通信モジュールが別々に作動する固定時間（例えば、１０ｍｓ）である。（ｂ）ターゲットｅＮＢ中のＴＤＭ設定リスト中から選択したＴＭＤ設定である。（ｃ）現在のＬＴＥ／ＬＴＥ−Ａシステムの周期的測定合間の設定である。又は、（ｄ）ターゲットｅＮＢが目前のシステム状況（例えば、ネットワーク状況）により新設定したＴＭＤ設定である。
【００６５】
前記ステップＳ３２０の詳しく説明は、前述したステップＳ１２０と同様であることができる。
【００６６】
ターゲットｅＮＢが送信した初期ＴＤＭ設定を受信し、且つ端末がターゲットｅＮＢに補助情報を提供する前、ＬＴＥ／ＬＴＥ−Ａ通信モジュールと共存通信モジュールとの間で初期ＴＤＭ作動モデルを採用して、設備の共存干渉を避けることができる。
【００６７】
共存通信モジュールの起動通知情報が、共存通信モジュールの起動を指示すると共に、端末がデフォルトＴＤＭ設定を採用してＬＴＥ／ＬＴＥ−Ａ通信モジュールと共存通信モジュールの作動を協調するように指示する場合、ステップＳ３２０を省略することができる。この場合、ネットワークのシフトを完成した後、端末とターゲットｅＮＢは、デフォルトＴＤＭ設定に基づいてＬＴＥ／ＬＴＥ−Ａ通信モジュールと共存通信モジュールの作動を協調することができる。一例示として、前記デフォルトＴＤＭ設定は、フルメッシュで唯一であり、且つ端末が周知するＴＤＭデフォルト設定である。例えば、ＬＴＥ／ＬＴＥ−Ａ通信モジュールと共存通信モジュールが別々に作動する固定時間（例えば、１０ｍｓ）である。
【００６８】
端末は、ＬＴＥ／ＬＴＥ−Ａ通信モジュールと共存通信モジュールとの間で初期ＴＤＭ作動モデルを採用して作動する過程において、対応する測定を行う。例えば、目前に使用可能な周波数資源、使用不可能な周波数資源、又はＬＴＥ／ＬＴＥ−Ａ通信モジュールと共存通信モジュールの作動時間のデューティ比等を測定する。
【００６９】
端末が測定による補助情報を得た後、続くステップ（例えば、ステップＳ３３０とＳ３４０）は、実施例１中の対応するステップ（例えば、ステップＳ１３０とＳ１４０）と同様であることができる。
【００７０】
また、本発明の以下のステップ（図示せず）をさらに含むことができる。即ち、端末がターゲットｅＮＢの送信した設定情報を受信した後、ターゲットｅＮＢに１つの受信確認情報を送信することである。
【００７１】
実施例４
ソースｅＮＢがターゲットｅＮＢに送信した共存通信モジュールの起動通知情報が初期ＴＤＭ設定情報を含んでいる場合、図４に示す通り、設備の共存干渉を避ける方法の流れは、以下のステップを含む。
【００７２】
ステップＳ４１０：ネットワークをシフトしている過程、又はシフトした後、端末の共存通信モジュールが起動された場合、ソースｅＮＢがターゲットｅＮＢに共存通信モジュールの起動通知情報を送信する。前記共存通信モジュールの起動通知情報中には、初期ＴＤＭ設定情報が含まれている。
【００７３】
前記初期ＴＤＭ設定情報は、以下のような設定情報であることができる。（ａ）フルメッシュ（ｅＮＢと端末を含む）が周知する唯一のＴＭＤデフォルト設定情報である。例えば、ＬＴＥ／ＬＴＥ−Ａ通信モジュールと共存通信モジュールが別々に作動する固定時間（例えば、１０ｍｓ）である。（ｂ）ターゲットｅＮＢ中のＴＤＭ設定リスト中から選択したＴＭＤ設定である。（ｃ）現在のＬＴＥ／ＬＴＥ−Ａシステムの周期的測定合間の設定である。又は、（ｄ）ソースｅＮＢが目前のシステム状況（例えば、ネットワーク状況）により新設定したＴＭＤ設定である。しかし、本発明がこのような事項に限定されるものではない。
【００７４】
共存通信モジュールの起動通知情報に初期ＴＤＭ設定情報が含まれている場合、ＴＤＭ設定がデフォルトＴＤＭ設定又はソースｅＮＢが選択したＴＤＭ設定であり、必ずしもターゲットｅＮＢに適合するＴＤＭ設定ではないので、システムの性能に一定な影響を与えることができる。
【００７５】
また、ターゲットｅＮＢがソースｅＮＢの送信する通知情報を受信した後、ソースｅＮＢに通知に対応する情報を送信することもできる（図示せず）。
【００７６】
ステップＳ４２０：ターゲットｅＮＢが端末に初期ＴＤＭ設定を送信する。
【００７７】
前記初期ＴＤＭ設定情報は、ソースｅＮＢの共存通信モジュール起動情報中から受信した初期ＴＤＭ設定であることができる。ターゲットｅＮＢがソースｅＮＢから受信したＴＤＭ設定がターゲットｅＮＢに適合しないと認定する場合、ターゲットｅＮＢがシステムの状況により適合するＴＤＭ設定を再び選択又は設定すると共に、端末に提供する。
【００７８】
ソースｅＮＢの送信した通知情報に含まれているＴＤＭ設定が、フルメッシュ（ｅＮＢと端末を含む）の周知する唯一のＴＭＤデフォルト設定情報である場合、前記ステップＳ４２０を省略することができる。
【００７９】
端末がＬＴＥ／ＬＴＥ−Ａ通信モジュールと共存通信モジュールとの間でＴＤＭ作動モデルを採用して作動する過程において、対応する測定を行う。例えば、目前に使用可能な周波数資源、使用不可能な周波数資源、又はＬＴＥ／ＬＴＥ−Ａ通信モジュールと共存通信モジュールの作動時間のデューティ比等を測定する。
【００８０】
端末が測定による補助情報を得た後、続くステップ（例えば、ステップＳ４３０とＳ４４０）は、実施例１中の対応するステップ（例えば、ステップＳ１３０とＳ１４０）と同様であることができる。
【００８１】
また、本発明は、以下のようなステップ（図示せず）をさらに含むことができる。即ち、端末がｅＮＢの送信した設定情報を受信した後、受信確認情報をｅＮＢに送信するステップである。
【００８２】
本発明の他の実施例において、端末がネットワークを再びシフトする時、本実施例の方法は、以下のステップをさらに含むことができる（図示せず）：
ネットワークをシフトしている過程、又はシフトした後、且つ端末の共存通信モジュールの起動された場合、前記シフトに対応するソースｅＮＢが新しいターゲットｅＮＢに共存通信モジュールの起動通知情報を送信する。前記共存通信モジュールの起動通知情報は、ＴＤＭ設定情報を含むか、或いはＴＤＭ設定情報を含まないことができる。
【００８３】
以下、前述した設備の共存干渉を避ける方法を組み合わせて、本発明の端末とｅＮＢに対して説明する。
【００８４】
実施例５
本実施例において、図５に示すとおり、一種の無線通信端末を提供する。前記無線通信端末は、ＬＴＥ／ＬＴＥ−Ａ通信モジュール５１０と、協調ユニット５２０と、共存通信モジュール５３０とを含む。前記ＬＴＥ／ＬＴＥ−Ａ通信モジュールは、送信ユニット５１１と、受信ユニット５１２とを含む。
【００８５】
１つの例示において、協調ユニット５２０は、送信ユニット５１１がｅＮＢに補助情報を送信する前、共存通信モジュールが起動された場合、ＬＴＥ／ＬＴＥ−Ａ通信モジュール５１０と共存通信モジュール５３０との間でデフォルトＴＤＭ作動モデルを採用するように設けられている。前記デフォルト設定は、例えば、無線通信端末とｅＮＢが周知する唯一のＴＭＤデフォルト設定（例えば、フルメッシュ（ｅＮＢと端末を含む）が周知する唯一のＴＭＤデフォルト設定）である。本実施例の端末は、図３のステップＳ３２０を省略する場合に適用することができる。ソースｅＮＢがターゲットｅＮＢに共存通信モジュールの起動通知情報を送信した後、協調ユニット５２０が前記ステップを行う。
【００８６】
本実施例において、ターゲットｅＮＢは、ソースｅＮＢの送信した共存通信モジュールの起動通知情報により、端末の採用したデフォルトＴＭＤモデルを認識する。
【００８７】
実施例６
本実施例中の無線通信端末は、ＬＴＥ／ＬＴＥ−Ａ通信モジュール５１０と、協調ユニット５２０と、共存通信モジュール５３０とを含む。前記ＬＴＥ／ＬＴＥ−Ａ通信モジュールは、送信ユニット５１１と、受信ユニット５１２とを含む。送信ユニット５１１は、ｅＮＢに補助情報を送信する前、ｅＮＢに共存通信モジュールの起動通知情報を送信するように設けられている。送信ユニット５１１は、例えば、共存通信モジュールが起動された時点、又は共存通信モジュールが起動されてデータを送信する時、ｅＮＢに共存通信モジュールの起動通知情報を送信するか、或いはネットワークがシフトされた時点であると共に、共存通信モジュールが起動された時、ターゲットｅＮＢとするｅＮＢに共存通信モジュールの起動通知情報を送信する。
【００８８】
この場合、協調ユニット５２０は、送信ユニット５１１がｅＮＢに補助情報を送信する前、共存通信モジュールが起動された場合、ＬＴＥ／ＬＴＥ−Ａ通信モジュール５１０と共存通信モジュール５３０との間で時分割多重化ＴＤＭ作動モデルを採用するように設けられている。
【００８９】
具体的には、１つの例示において、協調ユニット５２０は、ｅＮＢに補助情報を送信する前、共存通信モジュールが起動された場合、ＬＴＥ／ＬＴＥ−Ａ通信モジュール５１０と共存通信モジュール５３０との間でデフォルト設定であるＴＤＭ作動モデルを採用するように設けられている。前記デフォルト設定は、例えば、無線通信端末とｅＮＢが周知する唯一のＴＭＤデフォルト設定を含むことができる。この場合、送信ユニット５１１が送信した通信モジュールの起動通知情報は、ＴＤＭ設定情報を含まないか、或いはデフォルトＴＤＭ設定情報を含むことができる。前述した構造を有する端末は、図２に示す場合に適用することができる。
【００９０】
他の実施例において、送信ユニット５１１が送信した通信モジュールの起動通知情報は、初期ＴＤＭ設定情報を含むことができる。前記初期ＴＤＭ設定情報は、例えば、無線通信端末とｅＮＢが周知する唯一のＴＭＤデフォルト設定（例えば、フルメッシュ（ｅＮＢと端末を含む）が周知する唯一のＴＭＤデフォルト設定）、無線通信端末のＴＤＭ設定リスト中から選択したＴＭＤ設定、現在のＬＴＥ／ＬＴＥ−Ａシステムの周期的測定合間の設定、又は端末が目前のシステム状況（例えば、ネットワーク状況）により新設定したＴＭＤ設定を含むことができる。この場合、協調ユニット５２０は、送信ユニット５１１がｅＮＢに補助情報を送信する前、端末が選択した初期ＴＤＭモデルによりＬＴＥ／ＬＴＥ−Ａ通信モジュールと共存通信モジュールとの間の作動を協調することにより、補助情報を送信する前の設備の共存干渉を避ける。前述した構造を有する端末は、図２に示す場合に適用することができる。
【００９１】
他の実施例において、ＬＴＥ／ＬＴＥ−Ａ通信モジュール５１０の受信ユニット５１２は、ｅＮＢからの初期ＴＤＭ設定情報を含む第一モデル設定情報を受信するように設けられている。前記第一モデル設定情報は、例えば、無線通信端末とｅＮＢが周知する唯一のＴＭＤデフォルト設定（例えば、フルメッシュ（ｅＮＢと端末を含む）が周知する唯一のＴＭＤデフォルト設定）、ｅＮＢ中のＴＤＭ設定リスト中から選択したＴＭＤ設定、現在のＬＴＥ／ＬＴＥ−Ａシステムの周期的測定合間の設定、又はｅＮＢが目前のシステム状況により新設定したＴＭＤ設定を含むことができる。この場合、協調ユニット５２０は、送信ユニット５１１がｅＮＢに補助情報を送信する前、ｅＮＢからの初期ＴＤＭモデルによりＬＴＥ／ＬＴＥ−Ａ通信モジュールと共存通信モジュールとの間の作動を協調することにより、補助情報を送信する前の設備の共存干渉を避ける。前述した構造を有する端末は、図１に示す場合に適用することができる。
【００９２】
また、送信ユニット５１１は、受信ユニット５１２が前記第一モデル設定情報を受信した後、ｅＮＢに設定確認情報を送信するように設けられている。
【００９３】
本実施例において、送信ユニット５１１は、ｅＮＢに補助情報を送信するように設けられている。受信ユニット５１２は、ｅＮＢからの第二モデル設定情報を受信するように設けられている。前記第二モデル設定情報は、ＬＴＥ／ＬＴＥ−Ａ通信モジュールと共存通信モジュールとの間で採用する作動モデル（ＦＤＭ又はＴＤＭ作動モデル）を指示する第二モデル設定指示を含むことができる。且つ、協調ユニット５２０は、受信ユニット５１２が前記第二モデル設定情報を受信した後、ＬＴＥ／ＬＴＥ−Ａ通信モジュールと共存通信モジュールとの間で前記第二モデル設定指示の指示した作動モデル（ＦＤＭ又はＴＤＭ作動モデル）を採用するように設けられている。
【００９４】
本実施例において、ｅＮＢは、受信ユニット６１０と、送信ユニット６３０と、確定ユニット６２０とを含む。前記受信ユニット６１０と送信ユニット６３０は、ｅＮＢのトランシーバー中に設けることができる。
【００９５】
ｅＮＢの受信ユニット６１０は、無線通信端末からの補助情報を受信する前、無線通信端末からの共存通信モジュールの起動通知情報を受信するように設けられている。前記通知情報は、ＴＤＭ設定情報を含むか、或いはＴＤＭ設定情報を含まないことができる。前記通知情報がＴＤＭ設定情報を含まず、且つデフォルトＴＭＤ設定情報を指示しない時（この時、前記通知情報が共存通信モジュールの起動のみを指示する）、前記ｅＮＢの送信ユニット６３０がＴＤＭ設定情報を含む第一モデル設定情報を無線通信端末に送信する。前記第一モデル設定情報が含むＴＤＭ設定情報は、例えば、無線通信端末とｅＮＢが周知する唯一のＴＭＤデフォルト設定（例えば、フルメッシュ（ｅＮＢと端末を含む）が周知する唯一のＴＭＤデフォルト設定）、ｅＮＢ中のＴＤＭ設定リスト中から選択したＴＭＤ設定、現在のＬＴＥ／ＬＴＥ−Ａシステムの周期的測定合間の設定、又はｅＮＢが目前のシステム状況により新設定したＴＭＤ設定であることができる。前記通知情報がデフォルトＴＭＤ設定情報を指示するか、或いはＴＭＤ設定情報を含んでいる時、前記ｅＮＢの送信ユニットが無線通信端末に通知確認情報を送信することができる。
【００９６】
また、受信ユニット６１０は、端末からの補助情報を受信するように設けられている。
【００９７】
確定ユニット６２０は、受信ユニット６３０が前記無線通信端末からの補助情報を受信した後、前記補助情報により無線通信端末がＬＴＥ／ＬＴＥ−Ａ通信モジュールと共存通信モジュールとの間で採用される作動モデルを指定するように設けられている。
【００９８】
送信ユニット６３０は、無線通信端末に第二モデル設定情報を送信するように設けられている。第二モデル設定情報中には、前記確定ユニットの確定した作動モデルを指示するモデル設定情報が含まれている。
【００９９】
実施例７
本実施例において、一種の無線通信端末を提供する。前記無線通信端末は、図３と図４が示した場合に対応する。本実施例において、端末は、ＬＴＥ／ＬＴＥ−Ａ通信モジュール５１０と、協調ユニット５２０と、共存通信モジュール５３０とを含む。前記ＬＴＥ／ＬＴＥ−Ａ通信モジュール５１０は、送信ユニット５１１と、受信ユニット５１２とを含む。前記送信ユニット５１１と受信ユニット５１２は、ＬＴＥ／ＬＴＥ−Ａ通信モジュール５１０のトランシーバー中に設けることができる。
【０１００】
本実施例において、受信ユニット５１２は、送信ユニット５１１がターゲットｅＮＢに補助情報を送信する前、ターゲットｅＮＢからのＴＤＭ設定情報を含む第一モデル設定情報を受信する。
【０１０１】
協調ユニット５２０は、ターゲットｅＮＢに補助情報を送信する前、前記ＬＴＥ／ＬＴＥ−Ａ通信モジュールと共存通信モジュールとの間で前記ＴＤＭ作動モデルを採用するように設けられている。
【０１０２】
送信ユニット５１１は、受信ユニット５１２がターゲットｅＮＢからの第一モデル設定情報を受信した後、ターゲットｅＮＢに受信確認情報を送信するように設けられている。
【０１０３】
送信ユニット５１１は、ターゲットｅＮＢに補助情報を送信するように設けられている。
【０１０４】
受信ユニット５１２は、ターゲットｅＮＢからの第二モデル設定情報を受信するように設けられている。前記第二モデル設定情報中には、ＬＴＥ／ＬＴＥ−Ａ通信モジュールと共存通信モジュールとの間で採用する作動モデル（ＦＤＭ設定情報、又はＴＤＭ設定情報）を指示する第二モデル設定指示が含まれている。
【０１０５】
且つ、協調ユニット５２０は、受信ユニット５１２が第二モデル設定情報を受信した後、ＬＴＥ／ＬＴＥ−Ａ通信モジュール５１０と共存通信モジュール５３０との間で前記第二モデル設定指示の指示した作動モデルを採用するように設けられている。
【０１０６】
本実施例において、受信ユニット６１０と、送信ユニット６３０と、確定ユニット６２０とを含む。前記受信ユニット６１０と送信ユニット６３０は、ターゲットｅＮＢのトランシーバー中に設けることができる。
【０１０７】
ターゲットｅＮＢの受信ユニット６１０は、無線通信端末からの補助情報を受信する前、ソースｅＮＢからの共存通信モジュールの起動通知情報を受信するように設けられている。前記通知情報は、ＴＤＭ設定情報を含むか、或いはＴＤＭ設定情報を含まないことができる。前記通知情報がＴＤＭ設定情報を含まず、且つデフォルトＴＭＤ設定情報を指示しない時、前記ｅＮＢの送信ユニット６３０がＴＤＭ設定情報を含む第一モデル設定情報を無線通信端末に送信する。前記第一モデル設定情報が含むＴＤＭ設定情報は、例えば、無線通信端末と前記ターゲットｅＮＢが周知する唯一のＴＭＤデフォルト設定（例えば、フルメッシュが周知する唯一のＴＭＤデフォルト設定情報）、ターゲットｅＮＢ中のＴＤＭ設定リスト中から選択したＴＭＤ設定、現在のＬＴＥ／ＬＴＥ−Ａシステムの周期的測定合間の設定、又はターゲットｅＮＢが目前のシステム状況により新設定したＴＭＤ設定であることができる。基地局からの前記通知情報が初期ＴＤＭ設定情報を含む場合、ターゲットｅＮＢの送信ユニットがＴＤＭ設定情報を含む第一モデル設定情報を無線通信端末に送信する。前記第一モデル設定情報中に含まれている初期ＴＤＭ設定情報は、ソースｅＮＢからの共存通信モジュール起動通知情報中に含まれている初期ＴＤＭ設定であることができる。前記ターゲットｅＮＢがソースｅＮＢからのＴＤＭ設定がターゲットｅＮＢに適合しないと認定する場合、ターゲットｅＮＢがシステム状況により適合するＴＤＭ設定情報を再び選択又は設定すると共に、端末に提供する。
【０１０８】
受信ユニット６１０は、端末からの補助情報を受信するように設置されている。
【０１０９】
確定ユニット６２０は、受信ユニット６１０が無線通信端末からの補助情報を受信した後、前記補助情報により無線通信端末のＬＴＥ／ＬＴＥ−Ａ通信モジュールと共存通信モジュールとの間で用いる作動モデルを確定するように設置されている。
【０１１０】
送信ユニット６３０は、無線通信端末に第二モデル設定情報を送信するように設置されている。前記第二モデル設定情報中には、前記確定ユニットが確定した作動モデルを指示するモデル設定情報が含まれている。
【０１１１】
前述した各部品は、ハードウェア、ソフトウェア、ファームウエア、又はそれらの組合により実現することができる。且つ、前述した各部品は、より大きい部品に結合させるか、或いはより小さい複数の部品に分解させることができる。
【０１１２】
前述した本発明の装置と方法は、ハードウェアにより実現するか、或いはハードウェアとソフトウェアとの結合により実現することができる。本発明は、コンピューター読取可能なプログラムにも係る。ロジック部品が前記プログラムを実行する場合、前記ロジック部品が前述した装置又は構成部品を実現するか、或いは前述した各種の方法又はステップを実現することができる。本発明は、前述したプログラムを記憶する記憶媒介にも係る。例えば、ハードディスク、磁気ディスク、コンパクトディスク、ＤＶＤ、ｆｌａｓｈ記憶装置などである。
【０１１３】
前述した本発明の好ましい各実施例には、それぞれ本発明の１つ又は複数の具体的特徴が記載されているが、実際の需要、任意又は具体的応用などに従って、ある実施例の特徴と他の実施例の特徴とを組み合わせて用いることができる。
【０１１４】
また、「含む」、「具備する」、「備える」などのような用語、即ち、排他性のない前記総括性用語は、過程、方法、物、設備などの文献に記載されている要素を含むだけではなく、過程、方法、物、設備などの文献に記載されていない要素をさらに含むか、或いは過程、方法、物、設備などに必要する他の要素も含むことができる。
【０１１５】
前述した部分において、本発明の実施例を添付図面により詳述してきたが、前述した実施例は、この発明の例示にしか過ぎないものであるため、本発明は、実施例の構成にのみ限定されるものではなく、この発明の要旨を逸脱しない範囲の設計の変更等があってもこの発明に含まれることは勿論である。
【符号の説明】
【０１１６】
５１０  ＬＴＥ／ＬＴＥ−Ａ通信モジュール
５１１  送信ユニット
５１２  受信ユニット
５２０  協調ユニット
５３０  共存通信モジュール
６１０  受信ユニット
６２０  確定ユニット
６３０  送信ユニット
【図１】
0005804080.tif 000002
【図２】
0005804080.tif 000003
【図３】
0005804080.tif 000004
【図４】
0005804080.tif 000005
【図５】
0005804080.tif 000006
【図６】
0005804080.tif 000007